(57)【要約】      （修正有）【課題】鍵盤蓋をスタンドとして兼用し、楽器全体をコンパクトに梱包できる鍵盤楽器を提供する。【解決手段】楽器本体１に複数の白鍵４および複数の黒鍵５が配列された状態で組み込まれた鍵盤部３上に着脱可能に配置されて鍵盤部３を覆う鍵盤蓋２を、鍵盤部３の鍵配列方向における中間部において、第１、第２の各蓋部２ａ、２ｂに２分割し、この２分割された第１、第２の各蓋部２ａ、２ｂに、鍵盤部３の複数の黒鍵５がそれぞれ挿入する複数の鍵挿入孔１０を複数の黒鍵５に対応させて設けた。従って、搬送する際に、鍵盤蓋２を鍵盤部３上に配置して、複数の白鍵４および黒鍵５を覆って保護することができ、また使用する際には、２分割された鍵盤蓋２を楽器本体１の両側部に取り付けて、スタンドとして使用することができる。このため、鍵盤蓋２をスタンドして兼用することができるので、梱包作業および搬送作業が簡単で容易にできる。【選択図】図２
2012150326.tif 000002
【特許請求の範囲】
【請求項１】
楽器本体と、この楽器本体に複数の白鍵および複数の黒鍵が配列された状態で組み込まれた鍵盤部と、少なくとも前記鍵盤部上に着脱可能に配置されて前記鍵盤部を覆う鍵盤蓋とを備えた鍵盤楽器において、
前記鍵盤蓋は、前記鍵盤部の鍵配列方向における中間部において、第１、第２の各蓋部に２分割されており、この２分割された前記第１、第２の各蓋部には、前記鍵盤部の前記複数の黒鍵がそれぞれ挿入する複数の鍵挿入部が前記複数の黒鍵に対応して設けられていることを特徴とする鍵盤楽器。
【請求項２】
請求項１に記載の鍵盤楽器において、前記楽器本体は、その上面が前記鍵盤部における前記複数の白鍵の各上面と同一平面に形成されており、前記鍵盤蓋は、前記楽器本体の上面と前記鍵盤部における前記複数の白鍵の各上面との両方に着脱可能に配置されていることを特徴とする鍵盤楽器。
【請求項３】
請求項１に記載の鍵盤楽器において、前記楽器本体は、その上面が前記鍵盤部における前記複数の白鍵の各上面よりも高く形成されており、前記鍵盤蓋は、前記鍵盤部における前記複数の白鍵の各上面上に着脱可能に配置されていることを特徴とする鍵盤楽器。
【請求項４】
請求項１〜請求項３のいずれに記載の鍵盤楽器において、前記鍵盤部の鍵配列方向における前記楽器本体の両側部には、前記鍵盤蓋の前記第１、第２の各蓋部にそれぞれ設けられた前記複数の鍵挿入部のいずれかに挿入して前記第１、第２の各蓋部をスタンドとして起立させた状態で、前記楽器本体に取り付けるための取付突起部がそれぞれ設けられていることを特徴とする鍵盤楽器。
【請求項５】
請求項１〜請求項４のいずれに記載の鍵盤楽器において、前記複数の鍵挿入部は、前記鍵盤蓋の表裏面にそれぞれ貫通する複数の貫通孔であることを特徴とする鍵盤楽器。
【請求項６】
請求項１〜請求項４のいずれに記載の鍵盤楽器において、前記複数の鍵挿入部は、前記鍵盤部における前記複数の黒鍵がそれぞれ挿入して前記複数の黒鍵をそれぞれ覆い隠すための非貫通の複数の溝状穴であることを特徴とする鍵盤楽器。
【発明の詳細な説明】
【技術分野】
【０００１】
この発明は、電子ピアノや電子オルガンなどの鍵盤楽器に関する。
【背景技術】
【０００２】
従来、鍵盤楽器においては、特許文献１に記載されているように、楽器本体にスタンドを取付金具によって取り付けて使用するように構成されているものが知られている。
【先行技術文献】
【特許文献】
【０００３】
【特許文献１】特開２００２−２２１９６２号公報
【発明の概要】
【発明が解決しようとする課題】
【０００４】
しかしながら、このような従来の鍵盤楽器では、搬送する際に、楽器本体とスタンドとを分解して、楽器本体とスタンドとをそれぞれ梱包する必要があるため、梱包作業が煩雑で面倒であるばかりか、梱包された楽器全体がかさばり、搬送作業も面倒であるなどの問題がある。
【０００５】
この発明が解決しようとする課題は、鍵盤蓋をスタンドとして兼用し、楽器全体をコンパクトに梱包することができる鍵盤楽器を提供することである。
【課題を解決するための手段】
【０００６】
この発明は、楽器本体と、この楽器本体に複数の白鍵および複数の黒鍵が配列された状態で組み込まれた鍵盤部と、少なくとも前記鍵盤部上に着脱可能に配置されて前記鍵盤部を覆う鍵盤蓋とを備えた鍵盤楽器において、前記鍵盤蓋は、前記鍵盤部の鍵配列方向における中間部において、第１、第２の各蓋部に２分割されており、この２分割された前記第１、第２の各蓋部には、前記鍵盤部の前記複数の黒鍵がそれぞれ挿入する複数の鍵挿入部が前記複数の黒鍵に対応して設けられていることを特徴とする鍵盤楽器である。
【発明の効果】
【０００７】
この発明によれば、搬送する際に、鍵盤蓋を鍵盤部上に配置することにより、複数の白鍵および黒鍵を覆って保護することができ、また使用する際には、２分割された鍵盤蓋を鍵盤部上から取り外してそれぞれ楽器本体の両側部に取り付けることにより、スタンドとして使用することができる。このため、鍵盤蓋をスタンドして兼用することができるので、楽器全体をコンパクトに梱包することができ、これにより搬送時における梱包作業が簡単で容易にできると共に、搬送作業も容易にできる。
【図面の簡単な説明】
【０００８】
【図１】この発明を鍵盤楽器に適用した実施形態１を示した平面図である。
【図２】図１に示された鍵盤楽器の正面図である。
【図３】図１に示された鍵盤楽器において、鍵盤蓋を取り外した状態を示した平面図である。
【図４】図３に示された鍵盤楽器の正面図である。
【図５】図３に示された鍵盤楽器のＡ−Ａ矢視におけるスピーカ部の拡大断面図である。
【図６】図３に示された鍵盤楽器のＢ−Ｂ矢視におけるスイッチ部の拡大断面図である。
【図７】図４に示された鍵盤楽器において、楽器本体の両側部における右側面を示した拡大側面図である。
【図８】図７に示された取付突起部のねじ穴に螺着するねじ部材を示した拡大斜視図である。
【図９】図２に示された鍵盤楽器の鍵盤蓋をスタンドとして楽器本体の両側部に起立させて取り付けた状態を示した正面図である。
【図１０】図９に示された鍵盤楽器を右側方から見た拡大側面図である。
【図１１】図９に示された鍵盤楽器において、鍵盤蓋の第１、第２の各蓋部に対する楽器本体の取付高さを調整した状態を示した正面図である。
【図１２】図１１に示された鍵盤楽器を右側方から見た拡大側面図である。
【図１３】この発明を鍵盤楽器に適用した実施形態２を示した平面図である。
【図１４】図１３に示された鍵盤楽器の正面図である。
【図１５】図１３に示された鍵盤楽器において、鍵盤蓋を取り外した状態を示した平面図である。
【図１６】図１５に示された鍵盤楽器の正面図である。
【図１７】図１４に示された鍵盤楽器の鍵盤蓋をスタンドとして楽器本体の両側部に起立させて取り付けた状態を示した正面図である。
【図１８】図１７に示された鍵盤楽器を右側方から見た拡大側面図である。
【図１９】この発明を鍵盤楽器に適用した実施形態３を示した平面図である。
【図２０】図１９に示された鍵盤楽器の正面図である。
【図２１】図１９に示された鍵盤楽器の鍵盤蓋を示し、（ａ）は図１９のＣ−Ｃ矢視における鍵盤蓋を示した拡大断面図、（ｂ）は図１９のＤ−Ｄ矢視における鍵盤蓋を示した拡大断面図である。
【図２２】図２０に示された楽器本体の両側部における右側面に設けられた取付突起部のフック部を示し、（ａ）はその要部を示した拡大断面図、（ｂ）はその取付突起部を第２蓋部の鍵挿入穴に挿入させて、楽器本体の側部に鍵盤蓋の第２蓋部を取り付けた状態を示した要部の拡大断面図である。
【図２３】図２０に示された鍵盤楽器の鍵盤蓋をスタンドとして楽器本体の両側部に起立させた取り付けた状態を示した正面図である。
【図２４】図２３に示された鍵盤楽器を右側方から見た拡大側面図である。
【発明を実施するための形態】
【０００９】
（実施形態１）
以下、図１〜図１２を参照して、この発明を適用した鍵盤楽器の実施形態１について説明する。
この鍵盤楽器は、図１および図２に示すように、楽器本体１と鍵盤蓋２とを備えている。楽器本体１は、図２〜図４に示すように、横方向（図３では左右方向）に長いほぼ箱形状に形成されており、この楽器本体１の手前側（図３では下辺側）には、鍵盤部３が上方に露出した状態で組み込まれている。
【００１０】
鍵盤部３は、図３および図４に示すように、複数の白鍵４と複数の黒鍵５とが音階順に配列されている。この場合、複数の黒鍵５は、図４に示すように、その各上部が複数の白鍵４の上面よりも上方に突出するように、複数の白鍵４よりも高く形成されている。また、この複数の黒鍵５は、図３に示すように、その長さが複数の白鍵４よりも短く形成されている。これにより、複数の黒鍵５は、その先端部（図３では下辺側に位置する前端部）が複数の白鍵４の先端部よりも後方（図３では上辺側）に位置した状態で配列されている。
【００１１】
また、この楽器本体１における鍵盤部３の後方に位置する箇所には、図３に示すように、スピーカ部６およびスイッチ部７が設けられている。スピーカ部６は、図５に示すように、スピーカ本体６ａを備え、図３に示すように、楽器本体１の左右方向における両側に位置する内部に配置されている。この場合、スピーカ部６が位置する楽器本体１の箇所には、図５に示すように、一段低く窪んだ取付凹部８が形成されており、この一段低く窪んだ取付凹部８には、多数の放音孔８ａが形成されている。この一段低く窪んだ取付凹部８の下面には、スピーカ本体６ａが取り付けられている。
【００１２】
スイッチ部７は、図３に示すように、電源スイッチ、音量スイッチ、音色スイッチなどの鍵盤楽器に必要な各種のスイッチ７ａを備え、鍵盤部３の後方に位置する楽器本体１の中間部内に配置されている。このスイッチ部７は、図６に示すように、複数のスイッチ７ａがスイッチ基板７ｂ上に設けられた構成になっている。この場合にも、スイッチ部７が位置する楽器本体１の箇所には、一段低く窪んだ取付凹部９が形成されており、この一段低く窪んだ取付凹部９には、複数のスイッチ７ａがそれぞれ挿入する複数のスイッチ挿入孔９ａが形成されている。
【００１３】
これにより、スイッチ部７は、図６に示すように、一段低く窪んだ取付凹部９の下面にスイッチ基板７ｂがビス７ｃによって取り付けられ、この状態でスイッチ基板７ｂ上に設けられた各種のスイッチ７ａの上部が取付凹部９の各スイッチ挿入孔９ａ内に下側から挿入して取付凹部９内に突出して配置され、この状態で楽器本体１の上方から操作されるように構成されている。この場合、各種のスイッチ７ａは、その各上端部が、楽器本体１の上面から上方に突出しないように、楽器本体１の上面よりも低く配置されている。
【００１４】
一方、鍵盤蓋２は、図１および図２に示すように、楽器本体１上および鍵盤部３上に着脱可能に配置されて鍵盤部３を覆って保護するためのものであり、鍵盤部３の鍵配列方向における中間部において、第１、第２の各蓋部２ａ、２ｂに２分割された構成になっている。この２分割された第１、第２の各蓋部２ａ、２ｂには、図１に示すように、鍵盤部３の複数の黒鍵５がそれぞれ挿入する複数の鍵挿入孔１０が、複数の黒鍵５にそれぞれ対応して設けられている。この複数の鍵挿入孔１０は、鍵盤蓋２の表裏面にそれぞれ貫通する複数の貫通孔である。
【００１５】
この場合、楽器本体１は、図４に示すように、その上面が鍵盤部３における複数の白鍵４の各上面と同一平面に形成されている。これにより、複数の黒鍵５は、楽器本体１の上面よりも上方に突出した状態で配列されている。このため、鍵盤蓋２は、図１および図２に示すように、複数の黒鍵５がそれぞれ鍵盤蓋２の各鍵挿入孔１０に挿入した状態で、楽器本体１の上面と鍵盤部３における複数の白鍵４の各上面との両方に跨って載置されるように構成されている。
【００１６】
また、この鍵盤蓋２は、図１に示すように、その複数個所が複数のビス１１によって楽器本体１に着脱可能に取り付けられるように構成されている。すなわち、この鍵盤蓋２の第１蓋部２ａは、その左奥側の隅部と右前側の隅部とにそれぞれ設けられたビス挿入孔１２ａ（図１０参照）を通して各ビス１１が楽器本体１に螺入することにより、楽器本体１に取り付けられるように構成されている。
【００１７】
また、第２蓋部２ｂは、図１に示すように、その右奥側の隅部と左前側の隅部とにそれぞれ設けられたビス挿入孔１２ａ（図１０参照）を通して各ビス１１が楽器本体１に螺入することにより、楽器本体１に取り付けられるように構成されている。この場合、楽器本体１には、図３に示すように、複数のビス１１がそれぞれ螺入する複数のねじ穴１２ｂが、第１、第２の各蓋部２ａ、２ｂの各ビス挿入孔１２ａにそれぞれ対応して設けられている。
【００１８】
ところで、楽器本体１における鍵配列方向（図３では左右方向）に位置する両側部には、図１および図３に示すように、鍵盤蓋２の第１、第２の各蓋部２ａ、２ｂにそれぞれ設けられた複数の鍵挿入孔１０のいずれかに挿入して、第１、第２の各蓋部２ａ、２ｂをスタンドとして起立させた状態で楽器本体１に取り付けるための取付突起部１３がそれぞれ設けられている。すなわち、この取付突起部１３は、図７に示すように、白鍵４の上方に突出する部分の黒鍵５とほぼ同じ大きさで、楽器本体１の両側面において黒鍵５に対応する位置に水平方向に細長い形状で設けられている。
【００１９】
これにより、この取付突起部１３は、図９〜図１２に示すように、第１、第２の各蓋部２ａ、２ｂにそれぞれ形成された複数の鍵挿入孔１０のいずれかに挿入した際に、取付突起部１３の先端面が第１、第２の各蓋部２ａ、２ｂのいずれかの外側面と同一平面になるか、それよりも少し窪んだ状態で配置されるように形成されている。また、この取付突起部１３には、図７に示すように、ねじ穴１４が設けられている。このねじ穴１４は、取付突起部１３内に埋め込まれたナットのねじ孔であり、図８に示すねじ部材１５が螺着するように構成されている。
【００２０】
このねじ部材１５は、図８に示すように、ねじ部１５ａと頭部１５ｂとを有している。ねじ部１５ａは、取付突起部１３のねじ穴１４に螺入するように形成されている。頭部１５ｂは、その外径が鍵盤蓋２の鍵挿入孔１０の長手方向と直交する幅方向の長さよりも大きく形成されている。この頭部１５ｂには、ねじ部材１５を手で回転操作するための回転操作部１５ｃが設けられている。
【００２１】
これにより、ねじ部材１５は、図９〜図１２に示すように、楽器本体１の取付突起部１３が、第１、第２の各蓋部２ａ、２ｂにおける複数の鍵挿入孔１０のいずれかに挿入して、第１、第２の各蓋部２ａ、２ｂがスタンドとして起立した状態で、第１、第２の各蓋部２ａ、２ｂの各鍵挿入孔１０を通して露出した取付突起部１３のねじ穴１４に、ねじ部材１５のねじ部１５ａを螺入させた上、頭部１５ｂの回転操作部１５ｃを手で回して締め付けることにより、第１、第２の各蓋部２ａ、２ｂを楽器本体１の両側部に固定するように構成されている。
【００２２】
すなわち、このねじ部材１５は、楽器本体１の取付突起部１３が、第１、第２の各蓋部２ａ、２ｂのいずれかの鍵挿入孔１０に挿入した状態で、ねじ部１５ａを取付突起部１３のねじ穴１４に螺入させて、頭部１５ｂの回転操作部１５ｃを手で回して締め付けると、頭部１５ｂが第１、第２の各蓋部２ａ、２ｂの各外側面に押し付けられ、これに伴って第１、第２の各蓋部２ａ、２ｂの各内側面が楽器本体１の両側面に押し付けられることにより、第１、第２の各蓋部２ａ、２ｂを楽器本体１の両側部に固定するように構成されている。
【００２３】
次に、このような鍵盤楽器の作用について説明する。
この鍵盤楽器を搬送する際には、楽器本体１上および鍵盤部３上に鍵盤蓋２を配置する。このときには、鍵盤蓋２の第１蓋部２ａを楽器本体１の左側半分の上面および鍵盤部３の左側半分に位置する複数の白鍵４の上面に配置すると共に、この第１蓋部２ａに設けられた複数の鍵挿入孔１０に鍵盤部３の左側半分に位置する複数の黒鍵５を挿入する。
【００２４】
同様に、鍵盤蓋２の第２蓋部２ｂを楽器本体１の右側半分の上面および鍵盤部３の右側半分に位置する複数の白鍵４の上面に配置すると共に、この第２蓋部２ｂに設けられた複数の鍵挿入孔１０に鍵盤部３の右側半分に位置する複数の黒鍵５を挿入する。この状態で、第１、第２の各蓋部２ａ、２ｂを楽器本体１上に複数のビス１１によって固定する。
【００２５】
このときには、第１、第２の各蓋部２ａ、２ｂの上方から複数のビス１１を、第１、第２の各蓋部２ａ、２ｂの各ビス挿入孔１２ａ（図１０参照）にそれぞれ挿入させて、楽器本体１に設けられた複数のねじ穴１２ｂ（図３参照）にそれぞれ螺入させて締め付けることにより、第１蓋部２ａの左奥側の隅部と右前側の隅部とが楽器本体１に取り付けられると共に、第２蓋部２ｂの右奥側の隅部と左前側の隅部とが楽器本体１に取り付けられる。
【００２６】
これにより、鍵盤部３の複数の白鍵４および複数の黒鍵５が第１、第２の各蓋部２ａ、２ｂからなる鍵盤蓋２によって覆われて保護される。この状態で、楽器全体を梱包することにより、楽器全体をコンパクトに梱包することができる。このため、搬送時における梱包作業が簡単で容易にできると共に、搬送作業も容易にできる。
【００２７】
また、この鍵盤楽器を使用する際には、まず、鍵盤蓋２の第１、第２の各蓋部２ａ、２ｂを楽器本体１から取り外す。このときには、複数のビス１１を緩めて取り外すだけで、簡単に鍵盤蓋２を楽器本体１から取り外すことができる。そして、この取り外した第１、第２の各蓋部２ａ、２ｂを、図９〜図１２に示すように、楽器本体１の両側部にスタンドとして取り付ける。
【００２８】
このときには、２分割された鍵盤蓋２のうち、第１蓋部２ａを楽器本体１の左側に起立させると共に、第２蓋部２ｂを楽器本体１の右側に起立させる。この状態で、例えば図９および図１０に示すように、第１蓋部２ａの上端部を楽器本体１の上面とほぼ同一平面になるように、第１蓋部２ａに設けられた鍵挿入孔１０に、楽器本体１の左側に位置する側面の取付突起部１３を挿入させると共に、第２蓋部２ｂに設けられた鍵挿入孔１０に、楽器本体１の右側に位置する側面の取付突起部１３を挿入させる。
【００２９】
すると、図９および図１０に示すように、楽器本体１が第１、第２の各蓋部２ａ、２ｂによってスタンドとして起立した状態で支持される。この状態で、第１、第２の各蓋部２ａ、２ｂをねじ部材１５によって楽器本体１に固定する。このときには、楽器本体１の両側面に設けられた各取付突起部１３が、第１、第２の各蓋部２ａ、２ｂの各鍵挿入孔１０を通してそれぞれ露出し、この露出した各取付突起部１３の各ねじ穴１４に、各ねじ部材１５のねじ部１５ａをそれぞれ螺入させる。
【００３０】
この状態で、各頭部１５ｂの回転操作部１５ｃを手で回して締め付けると、ねじ部１５ａが取付突起部１３のねじ穴１４に螺着すると共に、頭部１５ｂが第１、第２の各蓋部２ａ、２ｂの各外側面に押し付けられ、これに伴って第１、第２の各蓋部２ａ、２ｂの各内側面が楽器本体１の両側面に押し付けられる。これにより、第１、第２の各蓋部２ａ、２ｂがスタンドとして楽器本体１の両側部に固定される。この状態では、鍵盤部３を操作して良好に演奏することができる。
【００３１】
ところで、第１、第２の各蓋部２ａ、２ｂによって支持された楽器本体１の高さが高過ぎる場合には、図１１および図１２に示すように、第１、第２の各蓋部２ａ、２ｂにそれぞれ設けられた複数の鍵挿入孔１０のうち、楽器本体１の取付突起部１３が挿入する鍵挿入孔１０の位置を変更することにより、第１、第２の各蓋部２ａ、２ｂによって支持される楽器本体１の高さを調整することができる。
【００３２】
このときには、第１、第２の各蓋部２ａ、２ｂにそれぞれ設けられた複数の鍵挿入孔１０のうち、所望する位置の各鍵挿入孔１０、例えば図１２において第１、第２の各蓋部２ａ、２ｂの上端部から７番目付近に位置する各鍵挿入孔１０に、楽器本体１の両側に位置する各側面の取付突起部１３をそれぞれ挿入させ、この状態で上述した場合と同様に、ねじ部材１５によって第１、第２の各蓋部２ａ、２ｂをスタンドとして楽器本体１の両側部に固定すれば良い。この場合にも、鍵盤部３を操作して良好に演奏することができる。
【００３３】
このように、この鍵盤楽器によれば、楽器本体１に複数の白鍵４および複数の黒鍵５が配列された状態で組み込まれた鍵盤部３上に着脱可能に配置されて鍵盤部３を覆う鍵盤蓋２を、鍵盤部３の鍵配列方向における中間部において、第１、第２の各蓋部２ａ、２ｂに２分割し、この２分割された第１、第２の各蓋部２ａ、２ｂに、鍵盤部３の複数の黒鍵５がそれぞれ挿入する複数の鍵挿入孔１０を複数の黒鍵５に対応させて設けた構成であるから、鍵盤蓋２をスタンドとして兼用して、楽器全体をコンパクトに梱包することができる。
【００３４】
すなわち、この鍵盤楽器によれば、搬送する際に、鍵盤蓋２を鍵盤部３上に配置することにより、複数の白鍵４および複数の黒鍵５を覆って保護することができ、また使用する際には、２分割された鍵盤蓋２を鍵盤部３上から取り外してそれぞれ楽器本体１の両側部に取り付けることにより、スタンドとして使用することができる。このため、鍵盤蓋２をスタンドして兼用することができるので、楽器全体をコンパクトに梱包することができ、これにより搬送時における梱包作業が簡単で容易にできると共に、搬送作業も容易にできる。
【００３５】
この場合、楽器本体１は、その上面が鍵盤部３における複数の白鍵４の各上面と同一平面に形成されており、鍵盤蓋２は、楽器本体１の上面と鍵盤部３における複数の白鍵４の各上面との両方に着脱可能に配置されているので、鍵盤部３の複数の黒鍵５が楽器本体１の上面から上方に突出していても、鍵盤蓋２を楽器本体１の上面および複数の白鍵４の各上面に配置する際に、鍵盤蓋２の第１、第２の各蓋部２ａ、２ｂにそれぞれ設けられた各鍵挿入孔１０に複数の黒鍵５を挿入させることができる。
【００３６】
このため、鍵盤蓋２の第１、第２の各蓋部２ａ、２ｂによって、複数の黒鍵５を確実に且つ良好に保護することができる。このときには、第１、第２の各蓋部２ａ、２ｂを楽器本体１の上面と複数の白鍵４の各上面とに密着させて配置することができ、これにより複数の白鍵４および複数の黒鍵５を鍵盤蓋２によって確実に且つ良好に保護することができる。
【００３７】
また、この鍵盤楽器では、鍵盤部３の鍵配列方向における楽器本体１の両側部に、鍵盤蓋２の第１、第２の各蓋部２ａ、２ｂにそれぞれ形成された複数の鍵挿入孔１０のいずれかに挿入して第１、第２の各蓋部２ａ、２ｂをスタンドとして起立させた状態で、楽器本体１に取り付けるための取付突起部１３がそれぞれ設けられているので、楽器本体１の両側部の各取付突起部１３を第１、第２の各蓋部２ａ、２ｂにそれぞれ形成された複数の鍵挿入孔１０のいずれかに挿入するだけで、第１、第２の各蓋部２ａ、２ｂをスタンドとして楽器本体１の両側部に簡単に取り付けることができる。
【００３８】
例えば、第１、第２の各蓋部２ａ、２ｂの各上端部を楽器本体１の上面とほぼ同一平面になるように、第１、第２の各蓋部２ａ、２ｂにそれぞれ設けられた鍵挿入孔１０に、楽器本体１の両側面の取付突起部１３を挿入させることにより、楽器本体１を第１、第２の各蓋部２ａ、２ｂによって支持することができる。
【００３９】
また、第１、第２の各蓋部２ａ、２ｂによって支持された楽器本体１の高さを調整する場合には、第１、第２の各蓋部２ａ、２ｂにそれぞれ設けられた複数の鍵挿入孔１０のうち、所望する位置の各鍵挿入孔１０に、楽器本体１の両側に位置する各側面の取付突起部１３をそれぞれ挿入させることにより、楽器本体１の高さを調整することができる。
【００４０】
さらに、この鍵盤楽器では、複数の鍵挿入孔１０が鍵盤蓋２の表裏面にそれぞれ貫通する複数の貫通孔であることにより、第１、第２の各蓋部２ａ、２ｂにそれぞれ設けられた各鍵挿入孔１０に楽器本体１の各取付突起部１３をそれぞれ挿入させた際に、各取付突起部１３を第１、第２の各蓋部２ａ、２ｂの外部に露出させることができる。
【００４１】
このため、楽器本体１の各取付突起部１３にそれぞれ各ねじ穴１４を設けても、この各ねじ穴１４を第１、第２の各蓋部２ａ、２ｂの外部に露出させることができるので、この各ねじ穴１４に各ねじ部材１５をそれぞれ螺入させて第１、第２の各蓋部２ａ、２ｂを楽器本体１の両側部に確実に且つ強固に固定することができる。
【００４２】
（実施形態２）
次に、図１３〜図１８を参照して、この発明を適用した鍵盤楽器の実施形態２について説明する。なお、図１〜図１２に示された実施形態１と同一部分には同一符号を付して説明する。
この鍵盤楽器は、図１３〜図１６に示すように、楽器本体２０と鍵盤蓋２１とが実施形態１と異なる構成であり、これ以外は実施形態１とほぼ同じ構成になっている。
【００４３】
この楽器本体２０は、図１５および図１６に示すように、その上面が鍵盤部３における複数の黒鍵５の上面とほぼ同じ高さに形成されている。すなわち、楽器本体２０は、その上面が鍵盤部３における複数の白鍵４の上面よりも高く形成されている。この場合、鍵盤部３の周囲に対応する楽器本体２０の縁部には、図１５および図１６に示すように、一段低い段差部２０ａが形成されている。この段差部２０ａの上面は、複数の白鍵４の各上面とほぼ同じ高さに形成されている。
【００４４】
また、鍵盤蓋２１は、図１３および図１４に示すように、鍵盤部３上に着脱可能に配置されて鍵盤部３を覆って保護するためのものであり、鍵盤部３の鍵配列方向における中間部において、第１、第２の各蓋部２１ａ、２１ｂに２分割された構成になっている。この２分割された第１、第２の各蓋部２１ａ、２１ｂには、図１３に示すように、鍵盤部３の複数の黒鍵５がそれぞれ挿入する複数の鍵挿入孔１０が、複数の黒鍵５にそれぞれ対応して設けられている。この複数の鍵挿入孔１０は、実施形態１と同様、鍵盤蓋２１の表裏面にそれぞれ貫通する複数の貫通孔である。
【００４５】
この場合、鍵盤蓋２１は、図１３に示すように、鍵盤部３上と楽器本体２０に形成された段差部２０ａ上とに配置されるように構成されている。また、この鍵盤蓋２１は、図１４に示すように、鍵盤部３上と楽器本体２０に形成された段差部２０ａ上とに配置された際に、鍵盤蓋２１の上面が楽器本体２０の上面とほぼ同じ高さになるように構成されている。さらに、この鍵盤蓋２１は、図１３および図１５に示すように、その複数個所が複数のビス１１によって楽器本体２０の段差部２０ａに着脱可能に取り付けられるように構成されている。
【００４６】
すなわち、この鍵盤蓋２１の第１蓋部２１ａは、図１３および図１４に示すように、その左手前側部と右奥側部とがそれぞれ各ビス１１によって楽器本体２０の段差部２０ａに取り付けられるように構成されている。また、第２蓋部２ｂは、その右手前側部と左奥側部とがそれぞれ各ビス１１によって楽器本体１２０の段差部２０ａに取り付けられるように構成されている。この場合、楽器本体２０の段差部２０ａには、図１５に示すように、複数のビス１１が螺入する複数のねじ穴１２ｂが、第１、第２の各蓋部２１ａ、２１ｂの各ビス挿入孔１２ａ（図１８参照）にそれぞれ対応して設けられている。
【００４７】
ところで、この楽器本体２０の両側部にも、実施形態１と同様、鍵盤蓋２１の第１、第２の各蓋部２１ａ、２１ｂにそれぞれ設けられた複数の鍵挿入孔１０のいずれかに挿入して、第１、第２の各蓋部２１ａ、２１ｂをスタンドとして起立させた状態で、楽器本体２０に取り付けるための取付突起部１３がそれぞれ設けられている。
【００４８】
この取付突起部１３も、実施形態１と同様、白鍵４の上方に突出する部分の黒鍵５とほぼ同じ大きさで、楽器本体２０の両側面において黒鍵５に対応する位置に水平方向に細長い形状で設けられている。また、この取付突起部１３にも、実施形態１と同様、ねじ穴１４が設けられている。このねじ穴１４は、取付突起部１３内に埋め込まれたナットのねじ孔であり、ねじ部材１５が螺着するように構成されている。
【００４９】
このような鍵盤楽器においても、実施形態１と同様、搬送する際に、鍵盤蓋２１を鍵盤部３上に配置することにより、複数の白鍵４および黒鍵５を覆って保護することができ、また使用する際には、２分割された鍵盤蓋２１を鍵盤部３上から取り外してそれぞれ楽器本体２０の両側部に取り付けることにより、スタンドとして使用することができる。このため、鍵盤蓋２１をスタンドして兼用することができるので、楽器全体をコンパクトに梱包することができ、これにより搬送時における梱包作業が簡単で容易にできると共に、搬送作業も容易にできる。
【００５０】
この場合、楽器本体２０は、その上面が鍵盤部３のおける複数の黒鍵５の上面とほぼ同じ高さに形成されているので、鍵盤部３の複数の黒鍵５が複数の白鍵４の上面から上方に突出していても、鍵盤蓋２１を鍵盤部３上に配置する際に、鍵盤蓋２１の第１、第２の各蓋部２１ａ、２１ｂにそれぞれ設けられた各鍵挿入孔１０に複数の黒鍵５を挿入させることにより、鍵盤蓋２１の第１、第２の各蓋部２１ａ、２１ｂによって、複数の黒鍵５を確実に且つ良好に保護することができる。
【００５１】
また、この鍵盤蓋２１は、鍵盤部３上とこれに隣接する楽器本体２０の縁部に形成された段差部２０ａ上とに配置される大きさに形成されているので、鍵盤蓋２１の長手方向と直交する幅方向の長さを実施形態１の鍵盤蓋２よりも短くすることができ、これにより実施形態１の鍵盤蓋２よりも重さを軽くすることができるので、実施形態１よりも楽器全体の重量を軽くすることができ、より一層、搬送作業を容易にすることができる。
【００５２】
さらに、この鍵盤蓋２１は、鍵盤部３上とこれに隣接する楽器本体２０の縁部に形成された段差部２０ａ上とに配置された際に、鍵盤蓋２１の上面が楽器本体２０の上面とほぼ同じ高さになるように構成されているので、楽器全体を梱包する際に、実施形態１の場合よりも、より一層、コンパクトに梱包することができる。
【００５３】
なお、上述した実施形態１、２では、楽器本体１、２０の両側部にそれぞれ取付突起部１３を設けた場合について述べたが、必ずしも楽器本体１、２０の両側部に取付突起部１３を設ける必要はなく、楽器本体１、２０の両側面にそれぞれ複数のねじ穴１４のみを設け、鍵盤蓋２、２１にそれぞれ設けられた各鍵挿入孔１０を通して、複数のねじ穴１４にそれぞれ複数のねじ部材１５の各ねじ部１５ａを螺着させることにより、楽器本体１、２０の両側部に第１、第２の各蓋部２ａ、２ｂ、２１ａ、２１ｂを取り付けるように構成しても良い。
【００５４】
また、上述した実施形態２では、鍵盤部３の周囲に対応する楽器本体２０の縁部に、一段低い段差部２０ａを形成して、この段差部２０ａ上に鍵盤蓋２１の縁部を配置するように構成した場合について述べたが、必ずしも楽器本体２０の縁部に段差部２０ａを形成する必要はなく、鍵盤蓋を鍵盤部３上のみに配置させるように構成しても良い。
【００５５】
（実施形態３）
次に、図１９〜図２４を参照して、この発明を適用した鍵盤楽器の実施形態３について説明する。この場合にも、図１〜図１２に示された実施形態１と同一部分に同一符号を付して説明する。
この鍵盤楽器は、図１９〜図２１に示すように、鍵盤蓋３０の鍵挿入穴３１が実施形態１と異なる構成であり、これ以外は実施形態１とほぼ同じ構成になっている。
【００５６】
すなわち、この鍵盤蓋３０は、実施形態１と同様、楽器本体１上と鍵盤部３上とに着脱可能に配置されて鍵盤部３を覆って保護するためのものであり、図１９および図２０に示すように、鍵盤部３の鍵配列方向における中間部において、第１、第２の各蓋部３０ａ、３０ｂに２分割された構成になっている。
【００５７】
この２分割された第１、第２の各蓋部３０ａ、３０ｂには、図２１（ａ）および図２１（ｂ）に示すように、鍵盤部３の複数の黒鍵５がそれぞれ挿入する複数の鍵挿入穴３１が、複数の黒鍵５にそれぞれ対応して設けられている。この複数の鍵挿入穴３１は、複数の白鍵４の各上面よりも上方に突出した部分の各黒鍵５が、それぞれ挿入して各黒鍵５の上部をそれぞれ覆い隠すための非貫通の複数の溝状穴である。
【００５８】
また、この楽器本体１の両側部にも、実施形態１と同様、鍵盤蓋３０の第１、第２の各蓋部３０ａ、３０ｂにそれぞれ形成された複数の鍵挿入穴３１のいずれかに挿入して、第１、第２の各蓋部３０ａ、３０ｂをスタンドとして起立させた状態で楽器本体１に取り付けるための取付突起部１３がそれぞれ設けられている。この取付突起部１３も、実施形態１と同様、白鍵４の上方に突出する部分の黒鍵５とほぼ同じ大きさで、楽器本体１の両側面において黒鍵５に対応する位置に水平方向に細長い形状で設けられている。
【００５９】
この場合、取付突起部１３には、図２２（ａ）および図２２（ｂ）に示すように、弾性を有するフック部３２が設けられている。このフック部３２は、取付突起部１３に設けられた取付凹部１３ａ内にばね部材３２ａを介して押圧部３２ｂが上方に出没するように構成されている。
【００６０】
これにより、フック部３２は、楽器本体１の両側部の各取付突起部１３が第１、第２の各蓋部３０ａ、３０ｂの各鍵挿入穴３１に挿入する際に、図２２（ｂ）に示すように、ばね部材３２ａのばね力によって押圧部３２ｂが鍵挿入穴３１の内面に押し付けられることにより、楽器本体１の両側部の各取付突起部１３が第１、第２の各蓋部３０ａ、３０ｂの各鍵挿入穴３１内から勝手に抜け出さないように構成されている。
【００６１】
また、このフック部３２は、楽器本体１の両側部の各取付突起部１３が第１、第２の各蓋部３０ａ、３０ｂの各鍵挿入穴３１に挿入して、ばね部材３２ａのばね力によって押圧部３２ｂが鍵挿入穴３１の内面に押し付けられた状態で、そのばね部材３２ａのばね力に抗して抜き出すことにより、楽器本体１の両側部の各取付突起部１３を第１、第２の各蓋部３０ａ、３０ｂの各鍵挿入穴３１内から抜き出せるように構成されている。
【００６２】
このような鍵盤楽器においても、実施形態１と同様、搬送する際に、鍵盤蓋３０を鍵盤部３上に配置することにより、複数の白鍵４および黒鍵５を覆って保護することができ、また使用する際には、２分割された鍵盤蓋３０を鍵盤部３上から取り外してそれぞれ楽器本体１の両側部に取り付けることにより、スタンドとして使用することができる。このため、鍵盤蓋３０をスタンドして兼用することができるので、楽器全体をコンパクトに梱包することができ、これにより搬送時における梱包作業が簡単で容易にできると共に、搬送作業も容易にできる。
【００６３】
この場合、鍵盤蓋３０の第１、第２の各蓋部３０ａ、３０ｂにそれぞれ設けられた複数の鍵挿入穴３１は、鍵盤部３における複数の黒鍵５の各上部が挿入した際に、複数の黒鍵５の各上部をそれぞれ覆い隠すための非貫通の複数の溝状穴であるから、鍵盤蓋３０を鍵盤部３上に配置した際に、複数の黒鍵５をそれぞれ覆い隠すことができる。このため、複数の黒鍵５を鍵盤蓋３０によって、実施形態１の鍵盤蓋２よりも、確実に且つ良好に保護することができると共に、この鍵盤蓋３０によって鍵盤部３全体を良好に保護することができる。
【００６４】
また、楽器本体１の両側部にそれぞれ設けられた各取付突起部１３の各上面には、弾性を有するフック部３２が設けられているので、第１、第２の各蓋部３０ａ、３０ｂにそれぞれ設けられた複数の鍵挿入穴３１が複数の黒鍵５をそれぞれ覆い隠すための非貫通の複数の溝状穴であっても、第１、第２の各蓋部３０ａ、３０ｂを楽器本体１の取付突起部１３にワンタッチで簡単に且つ確実に固定することができる。
【００６５】
なお、上述した実施形態３では、鍵盤蓋３０が楽器本体１の上面および鍵盤部３における複数の白鍵４の各上面に配置されるように構成した場合について述べたが、これに限らず、実施形態２で述べたように、楽器本体２０の上面が複数の黒鍵５の上面とほぼ同じ高さに形成され、この状態で鍵盤蓋が複数の白鍵４の各上面および楽器本体２０の縁部に一段低く形成された段差部２０ａの上面に配置される構成である場合においても、その鍵盤蓋に複数の黒鍵５がそれぞれ挿入する複数の鍵挿入穴３１を非貫通の複数の溝状穴で設けた構成であっても良い。
【００６６】
また、上述した実施形態１〜３およびその各変形例では、２つに分割された第１、第２の各蓋部２ａ、２ｂ、２１ａ、２１ｂ、３０ａ、３０ｂを楽器本体２、２０の両側部にスタンドとして取り付ける際に、ねじ部材１５やフック部３２によって固定するように構成した場合について述べたが、これに限らず、クランプ機構を用いて、２つに分割された第１、第２の各蓋部２ａ、２ｂ、２１ａ、２１ｂ、３０ａ、３０ｂを楽器本体２、２０の両側部にスタンドとして固定するように構成して良い。
【００６７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６８】
（付記）
請求項１に記載の発明は、楽器本体と、この楽器本体に複数の白鍵および複数の黒鍵が配列された状態で組み込まれた鍵盤部と、少なくとも前記鍵盤部上に着脱可能に配置されて前記鍵盤部を覆う鍵盤蓋とを備えた鍵盤楽器において、
前記鍵盤蓋は、前記鍵盤部の鍵配列方向における中間部において、第１、第２の各蓋部に２分割されており、この２分割された前記第１、第２の各蓋部には、前記鍵盤部の前記複数の黒鍵がそれぞれ挿入する複数の鍵挿入部が前記複数の黒鍵に対応して設けられていることを特徴とする鍵盤楽器である。
【００６９】
請求項２に記載の発明は、請求項１に記載の鍵盤楽器において、前記楽器本体は、その上面が前記鍵盤部における前記複数の白鍵の各上面と同一平面に形成されており、前記鍵盤蓋は、前記楽器本体の上面と前記鍵盤部における前記複数の白鍵の各上面との両方に着脱可能に配置されていることを特徴とする鍵盤楽器である。
【００７０】
請求項３に記載の発明は、請求項１に記載の鍵盤楽器において、前記楽器本体は、その上面が前記鍵盤部における前記複数の白鍵の各上面よりも高く形成されており、前記鍵盤蓋は、前記鍵盤部における前記複数の白鍵の各上面上に着脱可能に配置されていることを特徴とする鍵盤楽器である。
【００７１】
請求項４に記載の発明は、請求項１〜請求項３のいずれに記載の鍵盤楽器において、前記鍵盤部の鍵配列方向における前記楽器本体の両側部には、前記鍵盤蓋の前記第１、第２の各蓋部にそれぞれ設けられた前記複数の鍵挿入部のいずれかに挿入して前記第１、第２の各蓋部をスタンドとして起立させた状態で、前記楽器本体に取り付けるための取付突起部がそれぞれ設けられていることを特徴とする鍵盤楽器である。
【００７２】
請求項５に記載の発明は、請求項１〜請求項４のいずれに記載の鍵盤楽器において、前記複数の鍵挿入部は、前記鍵盤蓋の表裏面にそれぞれ貫通する複数の貫通孔であることを特徴とする鍵盤楽器である。
【００７３】
請求項６に記載の発明は、請求項１〜請求項４のいずれに記載の鍵盤楽器において、前記複数の鍵挿入部は、前記鍵盤部における前記複数の黒鍵がそれぞれ挿入して前記複数の黒鍵をそれぞれ覆い隠すための非貫通の複数の溝状穴であることを特徴とする鍵盤楽器である。
【符号の説明】
【００７４】
１、２０  楽器本体
２、２１、３０  鍵盤蓋
２ａ、２１ａ、３０ａ  第１蓋部
２ｂ、２１ｂ、３０ｂ  第２蓋部
３  鍵盤部
４  複数の白鍵
５  複数の黒鍵
１０  鍵挿入孔
１３  取付突起部
１４  ねじ穴
１５  ねじ部材
３１  鍵挿入穴
３２  フック部
【図１】
2012150326.tif 000003
【図２】
2012150326.tif 000004
【図３】
2012150326.tif 000005
【図４】
2012150326.tif 000006
【図５】
2012150326.tif 000007
【図６】
2012150326.tif 000008
【図７】
2012150326.tif 000009
【図８】
2012150326.tif 000010
【図９】
2012150326.tif 000011
【図１０】
2012150326.tif 000012
【図１１】
2012150326.tif 000013
【図１２】
2012150326.tif 000014
【図１３】
2012150326.tif 000015
【図１４】
2012150326.tif 000016
【図１５】
2012150326.tif 000017
【図１６】
2012150326.tif 000018
【図１７】
2012150326.tif 000019
【図１８】
2012150326.tif 000020
【図１９】
2012150326.tif 000021
【図２０】
2012150326.tif 000022
【図２１】
2012150326.tif 000023
【図２２】
2012150326.tif 000024
【図２３】
2012150326.tif 000025
【図２４】
2012150326.tif 000026